(57)【要約】      （修正有）【課題】日々着用することの多い筒型シャツを利用して、メタボリック症候群にならないために、また、メタボリック症候群を自覚し、さらに治すために、使用性および実用性に優れたメタボリック症候群用筒型シャツを提供する。【解決手段】着用者の臍近傍腹周囲より大きい周長を有する筒型シャツ本体２と、筒型シャツ本体２の臍近傍腹周囲２ａに、水平周長方向に沿って目盛り３ａと始点３ｂを設けたメジャーと、を備える。そして、始点３ｂを目盛り３ａに合わせることで、着用者の臍近傍腹周囲長を測定する。【選択図】図１
0003144291.tif 000002
【実用新案登録請求の範囲】
【請求項１】
メタボリック症候群用の筒型シャツであって、着用者（Ｐ）の臍近傍腹周囲より大きい周長を有する筒型シャツ本体（２）と、筒型シャツ本体の臍近傍腹周囲（２ａ）に，水平周長方向に沿って目盛り（３ａ）と始点（３ｂ）を設けたメジャー（３）と、を備え、始点を目盛りに合わせることで，着用者の臍近傍腹周囲長の測定可能なメタボリック症候群用筒型シャツ。
【請求項２】
メタボリック症候群用の筒型シャツであって、着用者（Ｐ）の臍近傍腹周囲より大きい周長を有する筒型シャツ本体（２）と、筒型シャツ本体の臍近傍腹周囲（２ａ）に，水平周長方向に沿って目盛り（３ａ）と始点（３ｂ）を設けたメジャー（３）と、を備え、前記筒型シャツがＴシャツであり、始点を目盛りに合わせることで，着用者の臍近傍腹周囲長の測定可能なメタボリック症候群用筒型シャツ。
【請求項３】
メタボリック症候群用の筒型シャツであって、着用者（Ｐ）の臍近傍腹周囲より大きい周長を有する筒型シャツ本体（２）と、筒型シャツ本体の臍近傍腹周囲（２ａ）に，水平周長方向に沿って目盛り（３ａ）と始点（３ｂ）を設けたメジャー（３）と、を備え、前記筒型シャツがＴシャツであり、メジャーの目盛りと始点が，プリントによって印され、始点を前記目盛りに合わせることで，着用者の臍近傍腹周囲長の測定可能なメタボリック症候群用筒型シャツ。
【考案の詳細な説明】
【技術分野】
【０００１】
本考案は、メタボリック症候群にならないために、あるいはメタボリック症候群を自覚し、さらに治すために有効なメタボリック症候群用の筒型シャツに関するものである。
【背景技術】
【０００２】
近年、メタボリック症候群の診断基準が作成され、それ以降、多くの人々が当該症候群に該当するとされている。メタボリック症候群とは、臍近傍腹周囲長が、女性で９０ｃｍ以上、男性で８５ｃｍ以上であり、かつ、これに加えて高脂血症、高血糖、高血圧のうち、二つ以上に該当している症状を言う。
【０００３】
メタボリック症候群の主な原因は食べ過ぎと運動不足であり、これにより内臓脂肪がたまり、この症状が進むと血液中のコレステロールや中性脂肪が必要以上に増えるなどして、動脈硬化性疾患（心筋梗塞や脳梗塞など）を発症し易くなるなどの危険がある。
【考案の開示】
【考案が解決しようとする課題】
【０００４】
メタボリック症候群であるか否かを判断する上で、高脂血症や高血糖などは医療機関での診断に頼る必要があるが、臍近傍腹周囲長についてはそうした必要はない。しかし、日々の生活の中でメジャーなどを使用して臍近傍腹周囲長を測定することは意外と厄介であるため、長期間継続することは案外難しい。従って、特に中年期にあっては、気が付かないうちに臍近傍腹周囲長が９０ｃｍ以上（女性の場合）、あるいは８５ｃｍ以上（男性の場合）になっている場合が多い。
【０００５】
こうしたことから、臍近傍腹周囲長を、日々の生活の中で、いつでも容易に測定することのできる使用性および実用性に優れる製品の出現が望まれる。本考案者は、日々の生活の中で着用することの多い筒型シャツに着目し、本考案を完成するに至った。
【０００６】
本考案は、日々着用することの多い筒型シャツを利用して、メタボリック症候群にならないために、また、メタボリック症候群を自覚し、さらに治すために、使用性および実用性に優れた製品を提供することを課題とする。
【課題を解決するための手段】
【０００７】
用語の定義・・・本明細書及び実用新案登録請求の範囲において筒型シャツとは、非前あき式で非伸縮性布地製シャツのことである。
【０００８】
図１乃至図６を参照して説明する。請求項１に記載のメタボリック症候群用筒型シャツ１は、着用者Ｐの臍近傍腹周囲より大きい周長を有する筒型シャツ本体２と、筒型シャツ本体２の臍近傍腹周囲２ａに、水平周長方向に沿って目盛り３ａと始点３ｂを設けたメジャー３と、を備える。そして、始点３ｂを目盛り３ａに合わせることで、着用者Ｐの臍近傍腹周囲長の測定を可能にするものである。なお、始点３ｂとは、目盛りの０地点を意味する（以下、同様）。
【０００９】
請求項２に記載のメタボリック症候群用筒型シャツ１は、着用者Ｐの臍近傍腹周囲より大きい周長を有する筒型シャツ本体２と、筒型シャツ本体２の臍近傍腹周囲２ａに、水平周長方向に沿って目盛り３ａと始点３ｂを設けたメジャー３と、を備え、前記筒型シャツがＴシャツである。そして、始点３ｂを目盛り３ａに合わせることで、着用者Ｐの臍近傍腹周囲長の測定を可能にするものである。
【００１０】
請求項３に記載のメタボリック症候群用筒型シャツ１は、着用者Ｐの臍近傍腹周囲より大きい周長を有する筒型シャツ本体２と、筒型シャツ本体２の臍近傍部２ａに、水平周長方向に沿って目盛り３ａと始点３ｂを設けたメジャー３と、を備え、前記筒型シャツがＴシャツである。また、メジャー３の目盛り３ａと始点３ｂが、プリントによって印される。そして、始点３ｂを目盛り３ａに合わせることで、着用者Ｐの臍近傍腹周囲長の測定を可能にするものである。
【考案の効果】
【００１１】
請求項１に記載のメタボリック症候群用筒型シャツ１は、着用者Ｐの臍近傍腹周囲より大きい周長を有する筒型シャツ本体２と、筒型シャツ本体２の臍近傍腹周囲２ａに、水平周長方向に沿って目盛り３ａと始点３ｂを設けたメジャー３を備え、始点３ｂを目盛り３ａに合わせることで、着用者Ｐの臍近傍腹周囲長の測定を可能にしているので、使用性および実用性にきわめて優れる。
【００１２】
すなわち、図４・図５に示す如くメタボリック症候群用筒型シャツ１を着用した状態で、左右の手でメジャー３の始点３ｂを臍近傍腹周囲２ａの中央側に引っ張って目盛り３ａに合わせることによって、臍近傍腹周囲長をいつでも簡単に測定することができる。従って、臍近傍腹周囲測定用のメジャーなどを持ち出して測定する必要がなく、生活のために着用している当該メタボリック症候群用筒型シャツ１を利用して臍近傍腹周囲長を簡単に測定することができる。
【００１３】
請求項２に記載のメタボリック症候群用筒型シャツ１は、請求項１に記載の考案と同様の効果を発揮する。また、筒型シャツがＴシャツであり、その水平断面が連続した閉曲線形状である。従って、メジャー３の目盛り３ａと始点３ｂを正確に印すことができると共に、臍近傍腹周囲長の測定もより正確に行うことができる。
【００１４】
請求項３に記載のメタボリック症候群用筒型シャツ１は、請求項１および２に記載の考案と同様の効果を発揮する。また、メジャー３の目盛り３ａと始点３ｂが、プリントによって印されているので、いずれの場合も筒型シャツ本体２に長期にわたって存在する。これにより、長期間にわたって臍近傍腹周囲長の測定を正確に行うことができる。
【考案を実施するための最良の形態】
【００１５】
本考案に係るメタボリック症候群用筒型シャツ１の一実施形態を、図１乃至図５に示す。このメタボリック症候群用筒型シャツ１は、メタボリック症候群にならないために、あるいはメタボリック症候群を自覚し、さらに治すために着用する筒型シャツであり、筒型シャツ本体２と、目盛り３ａと始点３ｂを備えるメジャー３とで構成される。
【００１６】
筒型シャツ本体２は、着用者Ｐの臍近傍腹周囲より大きい周長を有するもので、本実施形態ではＴシャツで構成している。
【００１７】
メジャー３は、筒型シャツ本体２の臍近傍腹周囲に、目盛り３ａとその始点３ｂを配して設けられており、この目盛り３ａには、「８５ｃｍ」や「９０ｃｍ」などの数値を連続的に印している。なお、数値に代えて、図６に示すように、例えば、「９０ｃｍ」の部分に星マークを印し、「８５ｃｍ」の部分に三角マークを印すなど、数字以外のマークを印すこともできる。図１・図２・図５は外周が１ｍのメジャーで、５ｃｍ毎に目盛り及び数値が記載してある。
【００１８】
メジャー３の始点３ｂは目盛り３ａの出発点（０ｃｍ）であり、この始点３ｂからの長さが目盛り３ａに記載されている。この始点３ｂは、例えば、縦線の他、丸印（図６参照）あるいは四角印などで表すことができる。
【００１９】
なお、メジャー３は筒型シャツ本体２に直接プリントしたり、あるいはそれらを刺繍することによって設けることができる。
【００２０】
本実施形態に係るメタボリック症候群用筒型シャツ１を着用した状態で、臍近傍腹周囲を測定するには、図４および図５に示すように、まず、始点３ｂを持って折り返すようにして中央側に引張り、筒型シャツ本体２を、その径を小さくして装着している人に密着させる。そして、この状態で、始点３ｂを目盛り３ａに合わせ、合わさった部分の目盛り３ａを読む。その目盛り３ａの数値が、例えば、「９０ｃｍ」であれば、その人の臍近傍腹周囲は９０ｃｍである。
【００２１】
こうすることによって、本実施形態に係るメタボリック症候群用筒型シャツ１で、臍近傍腹周囲長をいつでもどこでも簡単に測定することができる。従って、臍近傍腹周囲を測定するためのメジャーを持ち出すなどの面倒な手間が不要となり、使用性および実用性に優れる。
【００２２】
なお、本考案に係るメタボリック症候群用筒型シャツ１は、メジャー３を設けることによって、筒型シャツ本体２に装飾性を持たせることができるといった利点がある。また、メジャー３の目盛り３ａと始点３ｂを、複数の色で構成したり、面白味のあるデザインで構成することで、装飾性をさらに高めることができる。更にメジャー３は、筒型シャツ１の正面にのみ設けて、裏面側はプリントを省いてもよいし、図６に示す如く筒型シャツ１の正面の臍近傍部のみに設けてもよい。
【図面の簡単な説明】
【００２３】
【図１】本考案の実施形態に係るメタボリック症候群用筒型シャツを示す正面図である。
【図２】図１の背面図である。
【図３】図１に示すメタボリック症候群用筒型シャツの着用状態における拡大横断面図（Ａ−Ａ線断面図）である。
【図４】図３に示すメタボリック症候群用筒型シャツで臍近傍腹周囲を測定している状態を示す拡大横断面図である。
【図５】図４に示す状態の拡大正面図である。
【図６】本考案に係るメタボリック症候群用筒型シャツの他の実施形態を示す要部正面図である。
【符号の説明】
【００２４】
１        筒型シャツ
２        筒型シャツ本体
２ａ      臍近傍腹周囲
３        メジャー
３ａ      メジャーの目盛り
３ｂ      メジャーの始点
Ｐ        着用者
【図１】
0003144291.tif 000003
【図２】
0003144291.tif 000004
【図３】
0003144291.tif 000005
【図４】
0003144291.tif 000006
【図５】
0003144291.tif 000007
【図６】
0003144291.tif 000008